(57)【特許請求の範囲】
【請求項１】
外周部でワイヤロープを巻き取り、一端内周部に楔状空間部を備えた円筒状の巻胴と、該巻胴の両端部に設けられたフランジ部と、ワイヤロープの端部を固定するワイヤロープ固定部材とを備えたウインチドラムにおいて、前記ワイヤロープ固定部材は、前記巻胴の外周部を囲繞する半円状に２分割された一対の半割ブラケットを、連結部材にて一体に連結して前記フランジ部の内側に配設され、いずれか一方の半割ブラケットに、前記ワイヤロープの端部を挟んで固定する一対の固定板を設けるとともに、いずれか一方の前記半割ブラケットに、前記楔状空間部に係合する位置決め片を設けたことを特徴とするウインチドラム。 
【発明の詳細な説明】
【技術分野】
【０００１】
本発明は、ウインチドラムに関し、詳しくは、クレーンや杭打機、アースドリルなどの建設機械に使用されるワイヤロープ巻取用のウインチドラムに関する。
【背景技術】
【０００２】
従来、各種建設機械に使用されているロープ巻取用のウインチドラムでは、一般に、ワイヤロープを巻き取る円筒状の巻胴の両端部にフランジ部が設けられるとともに、巻胴の内部に、ワイヤロープの端部を巻き付けた楔部材を固定する楔状空間部が形成されており、ワイヤロープの端部は、楔部材に巻回して楔状空間部に押し込むことにより巻胴に固定されていた（例えば、特許文献１参照。）。
【先行技術文献】
【特許文献】
【０００３】
【特許文献１】特開２００６−３４７６８０号公報
【発明の概要】
【発明が解決しようとする課題】
【０００４】
しかし、上述の特許文献１のものでは、径の太いワイヤロープの場合、ワイヤロープの端部を楔部材に巻回させるのが困難で、ワイヤロープを楔部材に巻回して楔状空間部に押し込むのに手間が掛かっていた。
【０００５】
そこで本発明のウインチドラムは、ワイヤロープの径に関わらず、ワイヤロープの端部を容易に固定することができるウインチドラムを提供することを目的としている。
【課題を解決するための手段】
【０００６】
上記目的を達成するため、本発明のウインチドラムは、外周部でワイヤロープを巻き取り、一端内周部に楔状空間部を備えた円筒状の巻胴と、該巻胴の両端部に設けられたフランジ部と、ワイヤロープの端部を固定するワイヤロープ固定部材とを備えたウインチドラムにおいて、前記ワイヤロープ固定部材は、前記巻胴の外周部を囲繞する半円状に２分割された一対の半割ブラケットを、連結部材にて一体に連結して前記フランジ部の内側に配設され、いずれか一方の半割ブラケットに、前記ワイヤロープの端部を挟んで固定する一対の固定板を設けるとともに、いずれか一方の前記半割ブラケットに、前記楔状空間部に係合する位置決め片を設けたことを特徴としている。
【発明の効果】
【０００７】
本発明のウインチドラムによれば、ワイヤロープ固定部材の一対の固定板に、ワイヤロープの端部を挟んで固定することにより、ワイヤロープの端部を折り曲げることなくウインチドラムに容易に固定させることができる。さらに、ワイヤロープ固定部材は、一対の半割ブラケットを巻胴の外周部に配置し、連結部材にて一体に連結することにより、容易に巻胴に装着することができる。
【０００８】
また、位置決め片により、ワイヤロープ固定部材を、いずれか一方のフランジ部の内側に当接させて配置させることができる。さらに、巻胴の一端内周部に形成された楔状空間部に位置決め片を係合させることにより、巻胴に楔状空間部を備えた従来のウインチドラムを利用することができ、コストが嵩む虞がない。
【図面の簡単な説明】
【０００９】
【図１】本発明のウインチドラムの一形態例を示す平面図である。
【図２】同じくウインチドラムの一部断面側面図である。
【図３】同じくウインチの分解説明図である。
【図４】同じくワイヤロープ固定部材の分解斜視図である。
【図５】本発明のウインチドラムを適用可能な建設機械の一例を示すアースドリルの側面図である。
【発明を実施するための形態】
【００１０】
まず、図５は、本発明のウインチドラムを適用可能な建設機械の一例であるアースドリルを示している。このアースドリル１１は、走行装置を備えた下部走行体１２の上に上部旋回体１３を旋回可能に設けたベースマシン１４と、上部旋回体１３の前部に起伏可能に装着されたブーム１５と、上部旋回体１３の後方上部に設けられた折畳み可能なガントリ１６と、上部旋回体１３の後端部に設けられたカウンタウエイト１７と、上部旋回体１３の幅方向中央に搭載された複数のウインチ１８ａ，１８ｂ，１８ｃと、上部旋回体１３の右側前端部に設けられた運転室１９とを備えている。
【００１１】
前記ブーム１５の前方には、アースドリル用の機器として、複数のアーム２１ａ及びシリンダ２１ｂを介してケリーバ駆動装置２１が保持され、ブーム１５の上端に設けられたトップシーブ２２から垂下する主巻ロープ２３ａには、ケリーバ駆動装置２１を貫通したケリーバ２４が垂下されており、ケリーバ２４の下端には、掘削バケットや拡底バケット２５が取り付けられている。さらに、トップシーブ２２からは補巻ロープ２３ｂが垂下しており、ブーム１５の後部側には、ペンダントロープ２６を介して起伏ロープ２３ｃが連結されている。
【００１２】
前記主巻ロープ２３ａ、補巻ロープ２３ｂ及び起伏ロープ２３ｃは、前記ウインチ１８ａ，１８ｂ，１８ｃにそれぞれ巻回されており、掘削作業は、ケリーバ駆動装置２１によりケリーバ２４を介して掘削バケットや拡底バケット２５を回転させながら、第１のウインチ１８ａを操作して主巻ロープ２３ａにより、ケリーバ２４を介して掘削バケットや拡底バケット２５を昇降させることで行われる。したがって、主巻ロープ２３ａには、掘削した土砂を取り込んだ掘削バケットや拡底バケットを上昇させる際に、大きな荷重が作用し、第１のウインチ１８ａは、高負荷での使用状態となる。
【００１３】
図１乃至図４は、前述のように高負荷で使用されるアースドリルの第１のウインチ１８ａに用いるウインチドラムとして適した構造を有する本発明のウインチドラムの一形態例を示している。本形態例に示すウインチドラム３１は、基本的に従来のウインチドラムと同様に形成されており、外周面に第１層のワイヤロープを整列させるためのロープ溝３２を螺旋状に設けた円筒状の巻胴３３と、該巻胴３３の両端部にそれぞれ設けられた一対のフランジ部３４，３５と、ワイヤロープ３６の端部を固定するワイヤロープ固定部材３７とを備えている。また、一方のフランジ部３４の内側となる巻胴３３の一端内周部には、対向する周壁に向けて、漸次、浅底となる楔状空間部３３ａが形成されている。
【００１４】
ワイヤロープ固定部材３７は、巻胴３３の外周部を囲繞する半円状に２分割された一対の半割ブラケット３７ａ，３７ｂを複数のボルト３８（本発明の連結部材）で連結して形成されている。一方の半割ブラケット３７ａには、ワイヤロープ挿入溝３７ｃをそれぞれ備えた一対の固定板３７ｄ，３７ｄが設けられている。一方の固定板３７ｄは、予め一方の半割ブラケット３７ａに取り付けられており、ワイヤロープ３６の端部を一方の固定板３７ｄのワイヤロープ挿入溝３７ｃに挿入した後、他方の固定板３７ｄを一方の固定板３７ｄの上部に配置し、一方の固定板３７ｄのワイヤロープ挿入溝３７ｃから突出したワイヤロープ３６に、他方の固定板３７ｄのワイヤロープ挿入溝３７ｃを被せて複数のビス３９で、他方の固定板３７ｄを一方の固定板３７ｄに固着することにより、ワイヤロープ３６が固定板３７ｄ，３７ｄに挟まれて固定される。なお、各固定板３７ｄに形成されるワイヤロープ挿入溝３７ｃは、固定板３７ｄ，３７ｄをビス３９で固着したときに、ワイヤロープ３６を挟着できる腕曲面でそれぞれ形成されている。
【００１５】
さらに、一方の半割ブラケット３７ａには、ウインチドラム３１に形成された楔状空間部３３ａに係合される楔形状の位置決め片３７ｅが設けられている。位置決め片３７ｅの先端部にはピン孔３７ｆが形成されるとともに、他方の半割ブラケット３７ｂには、ピン孔３７ｆと同軸のピン挿通孔３７ｇを備えた連結ボス部３７ｈが設けられ、ピン挿通孔３７ｇとピン孔３７ｆとに連結ピン４０を挿通し、該連結ピン４０をネジ４１によって連結ボス部３７ｈに固定することにより、位置決め片３７ｅの先端部と他方の半割ブラケット３７ｂとが連結される。
【００１６】
上述のように形成されたワイヤロープ固定部材３７は、ワイヤロープ３６の端部を、固定板３７ｄ，３７ｄで挟着することにより、ワイヤロープ３６を巻胴３３に容易に固定させることができる。また、一対の半割ブラケット３７ａ，３７ｂを巻胴３３の外周部に配置し、複数のボルト３８で連結することにより、ワイヤロープ固定部材３７を巻胴３３に簡単に装着することができる。また、一方の半割ブラケット３７ａに設けられた位置決め片３７ｅを、巻胴３３の一端内周部に形成された楔状空間部３３ａに係合させ、さらに、位置決め片３７ｅの先端部を、連結ピン４０を介して他方の半割ブラケット３７ｂに連結させることにより、ワイヤロープ固定部材３７を、一方のフランジ部３４の内側に当接させ、回り止めされた状態で固定させることができる。
【００１７】
このように、本形態例では、ワイヤロープ３６の基端部を折り返すことなく固定板３７ｄ，３７ｄに挟着させるだけでよいことから、ワイヤロープ３６の固定に手間が掛からず、大きな荷重が作用する径の太いワイヤロープであっても容易に固定することができる。また、ウインチドラム３１の巻胴３３にワイヤロープ固定部材３７を容易に取り付けることができ、さらに、フランジ部３４にワイヤロープ３６の挿通孔を形成することなくワイヤロープ固定部材３７にワイヤロープ３６を基端部を固定させることができる。また、位置決め片３７ｅと楔状空間部３３ａとの係合によって、ワイヤロープ固定部材３７を、一方のフランジ部３４の内側に当接させた状態で固定することができるので、ワイヤロープ３６を巻胴３３の一端側から確実に巻胴３３に巻き取らせることができる。さらに、楔状空間部を備えた従来のウインチドラムをそのまま利用することができるので、コストの削減化を図ることができる。
【００１８】
なお、上述の形態例に限るものではなく、位置決め片は、一対の半割ブラケットのどちら側に設けても差し支えない。さらに、本発明のウインチドラムは、前記アースドリルに限らず、杭打機やクレーンなど、ウインチを搭載した各種建設機械の各種ウインチに適用可能であり、さらに、単独で使用されるウインチや、ロープ状物を巻き取る各種機器にも適用可能である。
【符号の説明】
【００１９】
１１…アースドリル、１２…下部走行体、１３…上部旋回体、１４…ベースマシン、１５…ブーム、１６…ガントリ、１７…カウンタウエイト、１８ａ，１８ｂ，１８ｃ…ウインチ、１９…運転室、２１…ケリーバ駆動装置、２１ａ…アーム、２１ｂ…シリンダ、２２…トップシーブ、２３ａ…主巻ロープ、２３ｂ…補巻ロープ、２３ｃ…起伏ロープ、２４…ケリーバ、２５…拡底バケット、２６…ペンダントロープ、３１…ウインチドラム、３２…ロープ溝、３３…巻胴、３３ａ…楔状空間部、３４，３５…フランジ部、３６…ワイヤロープ、３７…ワイヤロープ固定部材、３７ａ，３７ｂ…半割体ブラケット、３７ｃ…ワイヤロープ挿入溝、３７ｄ…固定板、３７ｅ…位置決め片、３７ｆ…ピン孔、３７ｇ…ピン挿通孔、３７ｈ…連結ボス部、３８…ボルト、３９…ビス、４０…連結ピン、４１…ネジ 
【図１】
0006391460.tif 000002
【図２】
0006391460.tif 000003
【図３】
0006391460.tif 000004
【図４】
0006391460.tif 000005
【図５】
0006391460.tif 000006